(57)【要約】      （修正有）【課題】人が部屋に出入りする際、履物を脱いだ後自動的に履物の向きを変えてくれる自動回転履物台を提供する。【解決手段】人が上に乗って履物を履いたり脱いたりする事ができる円形踏板１を全方位回転可能にし、踏板１の中心部に中心軸２を垂設し、その中心軸２に一方回転部材１０を螺合わせ、人が履物台に乗った際の体重による履物台に対しての圧力を、アーム８を介して一方回転部材１０に作動させ、一方回転部材１０の位置を弾性部材９の弾力に抗して移動させ、人が履物台から降りた後、一方回転部材１０が元の位置に戻ろうとする力で履物台を約１８０度回転させようにする。【選択図】図１
2010115455.tif 000002
【特許請求の範囲】
【請求項１】
電気を使わず、人が履物台の上に乗った際の体重による圧力を、弾性部材の弾力に変換して蓄積させ、人が履物台から降りた後、蓄積した弾性部材の復元弾力を駆動源として履物台を自動的に回転可能にしたことを特徴とする自動回転履物台。
【請求項２】
履物台の上面に円形の踏板１を回転自在に設け、踏板１の裏面に中心軸２を垂設し、その中心軸２に一方回転部材１０を螺合させ、人が踏板１の上に上がった時の体重による圧力を利用して、一方回転部材１０の位置を弾性部材９の弾力に抗して移動させ、人が踏板１から降りた後、弾性部材９の復元力により一方回転部材１０が元の位置に戻る力で踏板１を約１８０度回転させることを特徴とする請求項１の自動回転履物台。
【請求項３】
座板５の形状を方形にし、アーム８を中心部から座板５の四隅まで延伸させることでアーム８の長さを最大限に延長し、テコの原理を応用して、人が踏板１の上に上がった時の踏板１の沈む幅を極力小さくしたことを特徴とする請求項１と請求項２の何れかの自動回転履物台。
【請求項４】
人が踏板１の上に乗った際の体重を利用して弾性部材９の弾力を蓄積させ、人が踏板１から降りた後、蓄積した弾力を踏板１に作動させる機関として、一方向のみ回転可能な手段を使用したことを特徴とする請求項１から請求項３の何れかの自動回転履物台。
【発明の詳細な説明】
【技術分野】
【０００１】当発明は、人が部屋に出入する際に脱いだ履物の向きを、自動的に変えてくれる自動回転履物台に関するものである。
【背景技術】
【０００２】部屋に入るとき脱いた靴、スリッパ、下駄などの履物を、部屋から出る時は、腰を曲げて履物の向きを変えるか、若しくは人が体の向きを変えて、履物と体とを両方同じ向きにしてから履くことになる。このような動きは、習慣的に身に付いた動きであり、一瞬で終わる些細なことではあるが、日常生活の中で毎日何回も繰り返し行うし、特に日本の場合は、玄関、フローリング、和室、ベランダ、トイレなど部屋ごとに履物が違う場合が多く、それが年寄りや患者、怪我人、障害者など体の不自由な人には、とても煩わしいく不便のものである。これらの問題を解決するために、履物の向きを自動的に変えてくれる電動式履物脱ぎ台が開示されている。
特許資料「特開平９−９８８７８号」（以下特許資料という）
【発明の開示】
【発明が解決しようとする課題】
【０００３】上記記載の特許資料は、履物の向きを自動的に変えてくれる脱ぎ台であるが、光や重力などを感知する数種類の感知センサーを取り付けて、電気でモーターを回して脱ぎ台を回すものである。当発明は電気、電池等のエネルギーや、モーター、センサー、タイマー要素など精密器具は一切使わず、人体体重による重力を駆動源とし、力学原理を応用して、履物の向きを自動的に変えてくれる履物台を提供することである。
【課題を解決するための手段】
【０００４】履物台の上面に円形の踏板１を回転自在に設け、踏板１の裏面に中心軸２を垂設し、その中心軸２に一方回転部材１０を螺合させ、人が踏板１の上に上がった時の体重による圧力を、アーム８を介して中心部の一方回転部材１０に作動させ、一方回転部材１０の位置を弾性部材９の弾力に抗して移動させ、人が踏板１から降りた後、弾性部材９の復原力により、一方回転部材１０の元の位置に戻ろうとするちからで踏板１を約１８０度回転させることで、履物台の上の履物の向きを変える。
当発明は以上の手段により課題を解決し、それにより次のような効果を現す。
【発明の効果】
【０００５】  イ、  電気を使わず、ゴミも出さず、人が履物台の上に上がった時自然に発生する体重による重力を駆動源とし、単純力学原理を利用して踏板１を自動的に回転可能にしたので、何時でも何処でも使える環境にやさしい、人に優しいエコ用品である。
ロ、  アーム８をなるべく長くさせるため、座板５の形状を円形ではなく、ケース本体２１の形状に合わせた方形にし、其の四偶にアーム８を取り付けたことと、テコの原理を利用したため、人が上に乗ったときの踏板１の降下幅を最小限にし、其の僅かな降下幅を数倍に拡大して、一方回転部材１０を動かすことができたので、それにより人が乗った時の感覚がよく、人が降りた後踏板１を低速で回転させることができた。
ハ、  センサーやタイマーなど精密器具は使わず、シンプルな構造であるため、頑丈で、産業上低コスト生産を可能にした。
【発明の最佳実施形態】
【０００６】  当発明の最佳実施形態を図面にて詳細に説明する。
履物台の上面に、直径が成人男性の履物よりやや大きい円形踏板１を設け、その踏板１を３６０度回転自在にし、踏板１の裏側の中心部に柱状中心軸２を垂設させ、中心軸２の内側は中空状を形成し、外側の周壁には浮き角ネジ１６を突設するが、浮き角ネジ１６は下記の一方回転部材が上下移動し易い一般ネジより大きい傾斜度を形成する。そして中心軸２と一定の間隔を置いた周囲に、円形の下突出部２２を設ける。（図１参照）
【０００７】上記踏板１の下には、間に複数のベアリングボール３を、所定の位置で転動自在に嵌入されたベアリングボール支持具４を挟んで、座板５を嵌合させる。座板５は中心部に円形透孔を形成し、透孔の周囲に上突出部６を設け、四辺はケース本体１の形状に合せた方形を形成し、方形の四隅に、アーム８の一端を枢着させる。踏板１と座板５のベアリングボール３と接するベアリング回転軌道には、ベアリング軌道溝２３を設け、ベアリングボール３の回転軌道を安定させる。上記構造を組立の際は、間にベアリングボール支持具４を挟んで、座板５に突設した上突出部６と、踏板１に設けた下突出部２２を嵌合させ、座板５と踏板１が一体となって同時昇降可能でありながら、踏板１はベアリングボール支持具４の上で単独で回転自在になる。（図１、図４、図５参照）
【０００８】一方、上記中心軸２は、外側に一方回転部材１０を螺合させるが、一方回転部材１０は筒状を形成し、筒状の内周壁には、中心軸２の外周壁に突設した浮き角ネジ１６と螺合する凹む角ネジ１７を設ける。そして外周壁には、最上部に雄螺を設けロックネット１１を螺着し、最下部は外側に向けて横突歯１４を突設し、ロックネット１１と横突歯１４の間の連動環１３の胴体を上下滑動可能に軸着する。連動環１３は下端部に下突歯１５を設け、横突歯１４と螺合し、一方回転部材１０の胴体の外周壁と上下滑動可能になる。そして連動環１３の両側面に連結部１２を設け、そこに座板５の四隅と繋がるアーム８の別の一端を片方に２本ずつ軸接させる。それにより連動環１３自体は回転不能となり、上方のロックネット１１と下方の横突歯１４との間を上下滑動するのみで、上方に滑動すると下突歯１５と横突歯１４が離れ、一方回転部材１０は回転自在になり、下滑動すると下突歯１５と横突歯１４が螺合され一方回転部材１０は回転不能となる。（図２参照）
【０００９】アーム８は座板５の四隅と中心部の連動環１３に両端を連結し、その間の四隅に近い所定の位置で、ケース基盤２０に設けたアーム支持脚１８に軸支されているので、座板５の四隅に連結した一端が下がると、テコの原理で一方回転部材１０に連結されたもう一端は上方に作動され、一方回転部材１０を持ち上げる。（図１参照）
【００１０】そして最底部のケース基盤２０は、方形平板の中心部に円柱１９を設け、その円柱１９を、上記踏板１に垂設した中心軸２の中空部と上下滑動可能に嵌入し、四隅に設けたアーム支持脚１８は一定の範囲で、位置の前後調整を可能にする。最後に本体ケース２１を被せケース基盤２０に螺着する。（図１参照）
【００１１】当発明は上記により形成し、これを使用する時は、人が踏板１の上に上がって履物を脱いたり履いたりすると、体重により踏板１が座板５と共に僅かに沈む。すると座板５に枢着されたアーム８の一端も同時に下がり、アーム支持具脚１８を支点として、力が四偶から中心部の連動環１３に集中され、連動環１３を上方に持ち上げる。すると連動環１３の下方に設けた下突歯１５と、一方回転部材１０に設けた横突歯１４が離れロックネット１１を推上する。すると一方回転部材１０は内壁の凹む角ネジ１７が中心軸２の浮き角ネジ１６と螺合されており、また中心軸２は踏板１に固着されてあり、踏板１の上には人が乗っているため動くことが出来ず、結局、中心軸２と連動環１３との間の一方回転部材１０のみが空転しながら浮き角ネジ１６に沿って上昇するようになる。するとアーム８の上に設けた弾性部材９は上昇するアーム８と降下する座板５の間で平に押圧変形され、エネルギーを蓄積することになる。これらの一連の動きは、人が踏板１に上がった瞬間に終わるので違和感はない。（図２、図３参照）
【００１２】そして、人が履物を脱いたり履き替えたりしおえて、踏板１から降りると、体重による圧力が消失するので、変形された弾性部材９が、元の形に戻ろうとする復元力でアーム８を下方に推圧する。すると連動環１３は下方に滑動され下突歯１５と一方回転部材１０の横突歯１４が螺合され、一方回転部材１０は回転不能となる。すると今度は踏板１の上に体重による荷重がなくなるので、中心軸２が踏板１と一緒に一方回転部材１０の凹む角ネジ１７に沿ってゆっくり回転を始める。そして、踏板１が１８０度回った時は、弾性部材９も原形に戻り、作用力が消失するので、踏板１の回転が止まる。（図２参照）
【００１３】踏板１の回転速度や、止まる位置等の微調整は外から操作可能に調整手段を設けることが可能だが、内側のアーム８の上に設けた弾性部材９の位置を前後移動可能にネジ孔を複数設けることと、アーム支持脚１８の位置も前後に移動可能にしたので、それによる調整も可能である。（図１参照）
【００１４】上記のような動きは、人が踏板１に乗る度に繰り替えし行うので、部品の故障が無い限り理論上は半永久的に使用可能である。そして使用場所によっては、横に複数並べて使用することは勿論、前後縦に二列に並べて、一つの上で履物を脱いて、その前の台の履物を履くような履き替え用に使用することもできる。その場合、履物台が空回転することになるが、特に電気やエネルギーを使うわけでもないので空転しても気にすることはない。さらには中に音楽や音声の録音によるお客様のお出迎えやお送り挨拶をセットすることも出来る。そして普及に伴い、快適な生活やサービス設備として、病院、介護施設、ホテル、住宅などの建築物の入口や玄関、ベランダ、トイレなど必ず履物の履き替えの場所に埋め込んで工事するよう設計することも可能である。
【００１５】本発明は、本質的違いはないが、実施例として座板５を踏板１と同じ大きさの円形にすることや、アーム８に設けた弾性部材９を、条状ではなく、ロールスプリングに代えたり、または代わりに筒状スプリングを中心部の一方回転部材１０の上に設けるなど、構造としては上記最佳実施形態の限りではない。
【図面の簡単な説明】
【００１６】  図１は当発明の分解斜視図である。
図２は一方回転部材１０の拡大斜視図である。
図３は図６、図７の端面位置を示ものである。
図４は無荷重状態での側面中央部分端面図である
図５は荷重状態での側面中央部分端面図である
【符号の説明】
【００１７】  １      踏板
２      中心軸
３      ベアリングボール
４      ベアリングボール支持具
５      座板
６      上突出部
７      アーム連結部
８      アーム
９      弾性部材
１０    一方回転部材
１１    ロックネット
１２    アーム固定部
１３    連動環
１４    横突歯
１５    下突歯
１６    浮き角ネジ
１７    凹む角ネジ
１８    アーム支持脚
１９    円柱
２０    ケース基盤
２１    ケース本体
２２    下突出部
２３    ベアリング軌道溝
【図１】
2010115455.tif 000003
【図２】
2010115455.tif 000004
【図３】
2010115455.tif 000005
【図４】
2010115455.tif 000006
【図５】
2010115455.tif 000007